(57)【要約】【課題】ジャム発生時に切換爪などの分岐部材に記録紙が残っている場合でも、確実に分岐部材を動作させて記録紙の誘導ができる構成を備えた記録紙処理装置を提供する。【解決手段】画像形成装置１００これから排出される記録紙の後処理を行なう後処理装置１０２との間に配置され、後処理装置１０２内で記録紙にジャムが発生した場合に、後処理装置に至る前で、画像形成装置１００内および画像形成装置１００に対して記録紙の給紙部１０１に残留している記録紙を収容するスタックトレイ２を備えた記録紙処理装置１において、後処理工程側でジャムを生じた記録紙をこれの搬送路ＰＡの一部を開放してスタックトレイ２に向け自由落下させて収容し、次いで搬送路切換爪３を作動できるようにして後続の記録紙をスタックトレイ２に収容できる態位に切り換えることで後続の記録紙搬送過程途中で停止させることなく収容できるようにしたことを特徴としている。【選択図】図３
2010168210.tif 000002
【特許請求の範囲】
【請求項１】
画像形成装置とこれから排出される記録紙の後処理を行なう後処理装置との間に配置され、前記後処理装置内で記録紙にジャムが発生した場合に、後処理装置に至る前で、前記画像形成装置内および該画像形成装置に対して記録紙の給紙部に残留している記録紙を収容するスタックトレイを備えた記録紙処理装置において、
前記スタックトレイへの搬送経路と、該搬送経路を前記後処理装置側と該スタックトレイ側とに切り換える搬送路切換爪と、該搬送路切換爪に対する前記記録紙の搬送方向下流側に位置して該搬送路切換爪上を通過する記録紙を挟持搬送可能な搬送部材と、該搬送部材の近傍に配置されて前記記録紙の搬送路を構成する位置と該搬送路を開放する位置とに変位可能な搬送ガイド部材とを備え、
ジャム発生時に前記搬送路切換爪上に記録紙が残っている場合、前記搬送部材および該搬送部材に至る画像形成装置側での記録紙の搬送手段の駆動を継続させた状態で前記搬送ガイド部材は、前記搬送路を開放して記録紙を前記スタックトレイに移動させる位置に切り換えられて該搬送路切換爪上を移動した記録紙を搬送路の開放部で弛ませて自重により前記スタックトレイに誘導し、
前記搬送部材の駆動により前記搬送路切換爪上を記録紙の後端が通過し終わった後に前記搬送路切換爪は、これに至る記録紙を前記スタックトレイに導入する向きに切り換えられることを特徴とする記録紙処理装置。
【請求項２】
前記スタックトレイは前記搬送ガイド部材の下方に配置され、
前記搬送ガイド部材は、前記スタックトレイに向けて回動可能に設けられ、前記搬送路切換爪上に残る記録紙を前記スタックトレイ側に向けて弛ませることができる位置まで変位可能であり、前記記録紙の後端が前記搬送部材から外れた際に前記スタックトレイに向け該記録紙を自重により落下させることを特徴とする請求項１に記載の記録紙処理装置。
【請求項３】
前記搬送ガイド部材は、前記搬送部材に挟持搬送される記録紙の搬送路を挟んで対向する開閉ガイド板を備え、該開閉ガイド板の一方は、前記搬送路に対向する位置から前記スタックトレイに向けて揺動可能に設けられ、揺動端に設けられているスタッドが、開閉搬送部材近傍に設けられている開閉駆動機構に対して係止態位と係止解除態位とを設定され、係止解除態位を設定された際に自重により前記搬送ガイド部材の一方を前記スタックトレイに向けて揺動させることを特徴とする請求項２に記載の記録紙処理装置。
【請求項４】
前記開閉駆動機構は、前記スタッドを係止可能な爪部を備えるとともに前記搬送ガイド部材を前記搬送路に対向させる位置と前記搬送ガイド部材を前記スタックトレイに向け揺動させる位置とに移動可能であり、該スタックトレイに向け前記搬送ガイド部材を揺動させるときには、前記スタッドの係止を解除する方向に移動することを特徴とする請求項３に記載の記録紙処理装置。
【請求項５】
前記開閉駆動機構に備えられている係止可能な爪部は、前記スタッドが係止される面をテーパ面とされていることを特徴とする請求項４に記載の記録紙処理装置。
【請求項６】
前記スタックトレイには、前記記録紙が収容される壁部の一部に指を差し入れることが可能な記録紙取り出し補助部が設けられていることを特徴とする請求項１乃至４のいずれかに記載のシート処理装置。  
【請求項７】
前記スタックトレイは、前記記録紙を縦方向に進入させる筐体で構成され、該筐体に進入した記録紙の縦面と対向する位置の壁部は、一部が開閉可能に設けられていることを特徴とする請求項１乃至４および６のいずれかに記載の記録紙処理装置。
【請求項８】
前記スタックトレイおよび前記搬送路切換爪に至る搬送路中には記録紙のジャムを搬送路内での記録紙の搬送時間に基づき検知するセンサが設けられ、該センサによりジャムが検知されたときおよび前記スタックトレイ内に記録紙が収容されているときに警報する警告手段が設けられていることを特徴とする請求項１乃至４および６、７のいずれかに記載の記録紙処理装置。
【請求項９】
前記スタックトレイには、縦方向に進入する記録紙の進入方向後端側を一方向に誘導する姿勢矯正部が設けられ、該姿勢矯正部を通過した記録紙の後端が一方向に寄せられて後続の記録紙の進入を妨げない位置に位置決めすることを特徴とする請求項１乃至４および６乃至８のいずれかに記載の記録紙処理装置。
【請求項１０】
請求項１乃至９のいずれかに記載の記録紙処理装置を画像形成装置および後処理装置との間に付設したことを特徴とする画像形成システム。
【発明の詳細な説明】
【技術分野】
【０００１】
本発明は、記録紙処理装置に関し、さらに詳しくは、ジャムを発生した記録紙およびこれに後続する記録紙の回収機構に関する。
【背景技術】
【０００２】
複写機やプリンタあるいは印刷機などの画像形成装置においては、感光体などの潜像担持体に形成された可視像の一つであるトナー像を記録紙などに転写して複写物が得られる。
【０００３】
画像形成装置には、排出された記録紙の綴じ処理やソーティングなどを行う後処理装置を付属させる場合があり、この場合には、画像形成装置の記録紙排出側と後処理装置との間にバッファユニットを連続させることがある。  
上述したバッファユニットを含め、画像形成装置内およびこれより排出される記録紙の搬送過程において記録紙の詰まり、いわゆるジャムが発生した場合には、装置の稼働を停止し、ジャムの発生箇所を探索して記録紙を取り出すことが行われていた。
【０００４】
しかし、近年では、搬送路内において記録紙のジャムが発生した場合の稼働停止による生産性の悪化を防止するために、ジャムを生じている記録紙を通常の搬送路から別の搬送部に移行させて、ジャムが発生している記録紙よりも後で搬送されてくる記録紙の搬送を停止しないようにする構成が提案されている（例えば、特許文献１，２，３）。  
特許文献１には、バッファ内でジャムが発生した記録紙を後処理装置への搬送路から分岐させてトレイに向け搬送する構成が開示されている。
【０００５】
特許文献２には、ジャムが生じている記録紙を後処理装置内での専用のトレイに向け排出する構成が開示されている。
【０００６】
特許文献３には、片面記録済みの記録紙を専用の給紙トレイに戻して再利用できるようにした構成が開示されている。
【発明の概要】
【発明が解決しようとする課題】
【０００７】
搬送中の記録紙にジャムが生じると、この記録紙以外は、その搬送が即時に停止されたり、特定箇所への移送に切り換えられる。  
このような構成では、ジャムが生じている記録紙以外の記録紙も取り除いたうえで印刷が開始されるため、記録紙の滞留位置が多いと取り除き作業が繁雑となる。  
そこで、上記特許文献に開示されているような、ジャムが発生した際に搬送路中に残っている記録紙を専用のトレイなどに移送する構成が望まれる。
【０００８】
しかし、後処理装置側でジャムが発生した場合に、上述したような装置の稼働を停止すると、搬送方向を切り換える部材である切換爪上では、停止した搬送部材に挟持されている記録紙が展張された状態で残ってしまうことがある。  
このため、後続の記録紙をトレイ側に誘導する態位を設定するように切換爪の向きを変えようとしても展張状態の記録紙によって切換爪の動作が行えないという問題がある。
【０００９】
本発明の目的は、上記従来のジャム処理における問題に鑑み、ジャム発生時に切換爪などの分岐部材に記録紙が残っている場合でも、確実に分岐部材を動作させて記録紙の誘導ができる構成を備えた記録紙処理装置を提供することにある。
【００１０】
さらに本発明の目的は、専用の収容部に導入された記録紙の取り出し性を向上させることができる構成を備えた記録紙処理装置を提供することにある。
【課題を解決するための手段】
【００１１】
この目的を達成するため、本発明は次の構成よりなる。
（１）画像形成装置とこれから排出される記録紙の後処理を行なう後処理装置との間に配置され、前記後処理装置内で記録紙にジャムが発生した場合に、後処理装置に至る前で、前記画像形成装置内および該画像形成装置に対して記録紙の給紙部に残留している記録紙を収容するスタックトレイを備えた記録紙処理装置において、
前記スタックトレイへの搬送経路と、該搬送経路を前記後処理装置側と該スタックトレイ側とに切り換える搬送路切換爪と、該搬送路切換爪に対する前記記録紙の搬送方向下流側に位置して該搬送路切換爪上を通過する記録紙を挟持搬送可能な搬送部材と、該搬送部材の近傍に配置されて前記記録紙の搬送路を構成する位置と該搬送路を開放する位置とに変位可能な搬送ガイド部材とを備え、
ジャム発生時に前記搬送路切換爪上に記録紙が残っている場合、前記搬送部材および該搬送部材に至る画像形成装置側での記録紙の搬送手段の駆動を継続させた状態で前記搬送ガイド部材は、前記搬送路を開放して記録紙を前記スタックトレイに移動させる位置に切り換えられて該搬送路切換爪上を移動した記録紙を搬送路の開放部で弛ませて自重により前記スタックトレイに誘導し、
前記搬送部材の駆動により前記搬送路切換爪上を記録紙の後端が通過し終わった後に前記搬送路切換爪は、これに至る記録紙を前記スタックトレイに導入する向きに切り換えられることを特徴とする記録紙処理装置。
（２）前記スタックトレイは前記搬送ガイド部材の下方に配置され、
前記搬送ガイド部材は、前記スタックトレイに向けて回動可能に設けられ、前記搬送路切換爪上に残る記録紙を前記スタックトレイ側に向けて弛ませることができる位置まで変位可能であり、前記記録紙の後端が前記搬送部材から外れた際に前記スタックトレイに向け該記録紙を自重により落下させることを特徴とする（１）に記載の記録紙処理装置。
（３）前記搬送ガイド部材は、前記搬送部材に挟持搬送される記録紙の搬送路を挟んで対向する開閉ガイド板を備え、該開閉ガイド板の一方は、前記搬送路に対向する位置から前記スタックトレイに向けて揺動可能に設けられ、揺動端に設けられているスタッドが、開閉搬送部材近傍に設けられている開閉駆動機構に対して係止態位と係止解除態位とを設定され、係止解除態位を設定された際に自重により前記搬送ガイド部材の一方を前記スタックトレイに向けて揺動させることを特徴とする（２）に記載の記録紙処理装置。
（４）前記開閉駆動機構は、前記スタッドを係止可能な爪部を備えるとともに前記搬送ガイド部材を前記搬送路に対向させる位置と前記搬送ガイド部材を前記スタックトレイに向け揺動させる位置とに移動可能であり、該スタックトレイに向け前記搬送ガイド部材を揺動させるときには、前記スタッドの係止を解除する方向に移動することを特徴とする（３）に記載の記録紙処理装置。
（５）前記開閉駆動機構に備えられている係止可能な爪部は、前記スタッドが係止される面をテーパ面とされていることを特徴とする（４）に記載の記録紙処理装置。
（６）前記スタックトレイには、前記記録紙が収容される壁部の一部に指を差し入れることが可能な記録紙取り出し補助部が設けられていることを特徴とする（１）乃至（４）のいずれかに記載のシート処理装置。  
（７）前記スタックトレイは、前記記録紙を縦方向に進入させる筐体で構成され、該筐体に進入した記録紙の縦面と対向する位置の壁部は、一部が開閉可能に設けられていることを特徴とする（１）乃至（４）および（６）のいずれかに記載の記録紙処理装置。
（８）前記スタックトレイおよび前記搬送路切換爪に至る搬送路中には記録紙のジャムを搬送路内での記録紙の搬送時間に基づき検知するセンサが設けられ、該センサによりジャムが検知されたときおよび前記スタックトレイ内に記録紙が収容されているときに警報する警告手段が設けられていることを特徴とする（１）乃至（４）および（６）、（７）のいずれかに記載の記録紙処理装置。
（９）前記スタックトレイには、縦方向に進入する記録紙の進入方向後端側を一方向に誘導する姿勢矯正部が設けられ、該姿勢矯正部を通過した記録紙の後端が一方向に寄せられて後続の記録紙の進入を妨げない位置に位置決めすることを特徴とする（１）乃至（４）および（６）乃至（８）のいずれかに記載の記録紙処理装置。
（１０）（１）乃至（９）のいずれかに記載の記録紙処理装置を画像形成装置および後処理装置との間に付設したことを特徴とする画像形成システム。
【発明の効果】
【００１２】
本発明によれば、ジャム発生時に搬送部材の駆動を継続させた状態で搬送ガイド部材が搬送路を開放する位置に切り換えられ、そして、搬送部材により搬送路切換爪を記録紙の後端が通過した時点で記録紙が自重により搬送路の開放部分からスタックトレイに誘導される。これにより、搬送路切換爪の動作が可能となり、この搬送路切換爪を用いて後続の記録紙を搬送途中で停止させることなくスタックトレイに回収することができる。
【００１３】
この結果、記録紙が切換爪上に残っている場合でも切換爪の動作を可能にしてジャムを生じている記録紙の回収と共に後続の記録紙の回収を可能にして、搬送途中で停止した場合の記録紙の回収が煩雑となるのを防止することができる。
【００１４】
また本発明においては、スタックトレイに回収された記録紙がスタックトレイに設けられている取り出し部を用いて、進入した箇所以外で取り出し操作を補助することができると共に記録紙の存否を確認できるので、スタックトレイに導入される作業が必要かどうかを容易に判断することができる。
【図面の簡単な説明】
【００１５】
【図１】本発明による記録紙処理装置が適用される画像形成装置のシステム構成を示す模式図である。
【図２】本実施形態に係る記録紙処理装置の要部構成を説明するための模式図である。
【図３】図２に示した記録紙処理装置の要部構成に関する作用を説明するための図である。
【図４】図２に示した記録紙処理装置に用いられる開閉駆動機構を説明するための図である。
【図５】図４に示した開閉駆動機構に用いられるスライド爪の構成を説明するための図である。
【図６】後処理工程で生じた記録紙のジャムによるスライド爪への影響を説明するための図である。
【図７】図２に示した記録紙処理装置に用いられるスタックトレイの構成を説明するための模式図である。
【図８】図７に示したスタックトレイの外観図である。
【発明を実施するための形態】
【００１６】
以下、図面により本発明を実施するための形態について説明する。  
図１は、本発明による記録紙処理装置を組み込んだ画像形成システムに用いられる装置を示す図である。
【００１７】
同図において画像形成システムは、画像形成装置１００、記録紙の供給部に相当する給紙装置１０１、画像形成後の記録紙を対象として後処理を行うスタッカー装置１０２およびフィニッシャ装置１０３を備えて構成されており、記録紙処理装置１は、画像形成装置１００と後処理装置のうちのスタッカー装置１０２との間に配置されている。
【００１８】
記録紙処理装置１は、スタッカー装置１０２やフィニッシャ装置１０３が相当する後処理装置を用いる後処理工程側でジャムが発生した場合に画像形成装置１００および給紙装置１０１の搬送経路上に残っている記録紙を搬送することで後続の記録紙を搬送する装置の稼働を停止しない状態を維持してジャム処理作業、つまり、ジャムが生じている記録紙の取り出しを行うために設けられている。
【００１９】
図２は、記録紙処理装置１の構成を説明するための模式図である。  
同図において記録紙処理装置１は、画像形成装置１００から排出される記録紙を後処理工程に向け搬送する搬送路ＰＡ（図２中、一点鎖線で示す）が設けられており、搬送路ＰＡには、記録紙を導入する入り口ローラ１Ａおよび後処理工程に向け搬送するための出口ローラ１Ｂが配置されている。
【００２０】
入り口ローラ１Ａおよび出口ローラ１Ｂとの間の搬送路ＰＡ内には、後述する搬送路切換爪３の上面を移動する記録紙が挟持搬送される搬送部材としての搬送ローラ１Ｃが配置されている。
搬送路切換爪３は、搬送ローラ１Ｃに対する記録紙の搬送方向（図示矢印方向）上流側に配置されており、ジャム発生時において記録紙処理装置１の内部下方に配置されているスタックトレイ２に向けて記録紙の搬送方向を切り換えることができるようになっている。この場合のジャムは、後処理装置側で発生した場合を対象としている。
【００２１】
搬送路ＰＡにおける記録紙の搬送方向において入り口ローラ１Ａおよび出口ローラ１Ｂが配置されている箇所には、搬送路ＰＡを構成する搬送ガイド部材４、５がそれぞれ設けられている。
【００２２】
これら搬送ガイド部材４、５のうちで、出口ローラ１Ｂ側に設けられている搬送ガイド部材５は、スタックトレイ２側に位置する開閉ガイド板５Ａが、図３に示すように、出口ローラ１Ｂの一方と共に搬送路ＰＡを構成する位置からスタックトレイ２に向けて回動して搬送路ＰＡを開放する位置とに変位可能な開閉ガイド板として用いられるようになっている。
【００２３】
開閉ガイド板５Ａは、図３に示すように、搬送路ＰＡを構成する位置（図３（Ａ）参照）と、搬送路ＰＡを構成する位置から下方側とに変位可能に設けられているが、このための構成は、図４に示す構成が用いられている。
【００２４】
図４において開閉ガイド板５Ａは、基端を後述する開閉駆動機構６に装備されているクランク６Ａの支軸をなすクランク軸６Ａ１により回動（揺動）可能に支持されている部材であり、回動端（揺動端）には、記録紙の搬送方向と直角な方向である記録紙の幅方向に沿った軸方向を有するスタッド５Ａ１が設けられている。
【００２５】
開閉駆動機構６は、上述したクランク６Ａと、クランク６Ａを揺動駆動するソレノイド６Ｂとを備えており、ソレノイド６Ｂには、アクチュエータの往復動をクランク軸６Ａ１の回動に変換するクランク（図示されず）が設けられている。
【００２６】
開閉駆動機構６には、開閉ガイド板５Ａに備えられているスタッド５Ａ１を係止および係止解除するためのスライド爪７が設けられている。  
図５は、開閉駆動機構６に用いられるスライド爪を示す図であり、同図においてスライド爪７は、クランク６Ａの揺動端に設けられているピン６Ａ２が嵌合する縦方向の駆動孔７Ａと、水平方向へのガイド孔７Ｂと、縦方向の孔とは反対側の端部に形成されてスタッド５Ａ１の係止部７Ｃとが形成されている。
【００２７】
スライド爪７は、クランク６Ａの回動に応じて往復動可能な部材であり、往復動初期位置として、スタッド５Ａ１が係止部７Ｃに載置されて開閉ガイド板５Ａの回動を係止する位置とされ、この位置からクランク６Ａの回動に応じて変位することによりスタッド５Ａ１から外れてスタッド５Ａ１の係止を解除する位置に変位できるようになっている。
【００２８】
スタッド５Ａ１の係止が解除されると開閉ガイド板５Ａは、クランク軸６Ａ１を支点とし、自重を利用してスタックトレイ２側に向けて回動することができる。  
これにより、後処理工程側にある記録紙（図６において符号Ｓ１で示す）が搬送路ＰＡを開放されると、搬送ローラ１Ｃを後端が外れた時点でガイド部分がなくなることにより自由落下することができ、スタックトレイ２に収容されるようになる。
【００２９】
スライド爪７の係止部７Ｃは、スタッド５Ａ１の載置面が水平方向に対してスタックトレイ２側に向けて傾斜させてテーパ面とされている（図５中、符号θで示す角度を持つ）。  
これは、図６に示すように、後処理工程側でジャムが生じた場合、記録紙が潰された際に発生する力（図６において符号Ｆで示す方向の力）が開閉ガイド板５Ａに作用して、この力がスライド爪７を押圧する力として作用すると、スライド爪７の水平方向移動に対する抵抗となって移動できなくなるのを防ぐためである。
【００３０】
つまり、スタッド５Ａ１の載置面をテーパ面とすることにより、開閉ガイド板５Ａに作用する下向きの力（図６中、符号Ｆで示す方向の力）がテーパ面に作用すると、その傾きから水平方向の分力を生起させてスライド爪７を水平方向に移動させやすくしている。  
これにより、ソレノイド６Ｂの駆動力を高める必要がないので、駆動に要する消費電力が不用意に増加するのを防止できるようになっている。
【００３１】
一方、搬送路切換爪３は、図３に示すように、後処理工程側において記録紙Ｓ１にジャムが発生している場合、後処理工程側でジャムが発生している記録紙Ｓ１の後端が搬送ローラ１Ｃの上面を移動し終えた時点で揺動動作が可能となる。つまり、それまで記録紙Ｓ１の展張により揺動できない状態であった搬送路切換爪３は、展張により負荷がなくなることで揺動動作が可能となる。
【００３２】
搬送路切換爪４は、揺動できるようになると、後続の記録紙Ｓ２、つまり、記録紙処理装置１内に導入されてくる記録紙Ｓ２の搬送方向をスタックトレイ２側に変化させるように態位を切り換えられる。このための構成は次の通りである。
【００３３】
図３において、搬送ローラ１Ｃの近傍には、図示しないが、後処理工程側に移動する記録紙Ｓ１の通過を検知するセンサが設けられており、このセンサにより記録紙Ｓ１の後端が搬送路切換爪３を通過したことを検知された時点で上述した搬送路切換爪３による搬送路の切換を行えるようになっている。
【００３４】
このような記録紙の通過を検知するセンサは、上述した搬送ローラ１Ｃの近傍だけではなく、搬送路ＰＡの複数箇所に設けてあり、そのセンサ間を通過する記録紙の搬送時間を割り出してジャムの発生を判断するようになっている。  
そして、このセンサを用いてジャムが発生した場合および記録紙処理装置１のスタックトレイ２への記録紙導入が実施されているときには、記録紙処理装置２の外壁面の一部に設けられたＬＥＤなどの点灯手段を用いた警報装置ＳＳ（図１参照）により警告することもできるようになっている。
【００３５】
記録紙処理装置１に装備されているスタックトレイ２は、その構成が図７に示されている。  
図７は、スタックトレイ２の構成を説明するための模式的な図であり、同図においてスタックトレイ２は、上部が開放されて記録紙導入部とされて記録紙を縦方向に導入可能な筐体で構成されている。
【００３６】
スタックトレイ２は、縦方向に進入してくる記録紙と対向する壁面の一部が、図８に示すように開閉可能な小ガイドカバー２Ａが設けられている。小ガイドカバー２Ａは、外側に向け開放されるとスタックトレイ２の内部に収容されている小サイズの記録紙を取り出せる部分として用いられる。
【００３７】
さらに、収容されている記録紙の取り出しを補助する構成として、図８に示すように、小ガイドカバー２Ａと対向する壁面には、縦方向に長手方向を有する長孔２Ｂが形成されている、長孔２Ｂは、外部から指を差し入れて収容されている記録紙を掴むことができるようになっており、さらに外部から収容されている記録紙を確認できるようになっている。
【００３８】
スタックトレイ２の内部には、縦方向に進入してくる記録紙の姿勢矯正部が設けられ、進入してくる記録紙の進入方向後端が一方向に寄せられるようになっている。これは、記録紙の進入方向後端側であるスタックトレイ２の記録紙導入側において記録紙が一方向に順次寄せられて堆積できるようにするためであり、その構成は次の通りである。
【００３９】
図７において、スタックトレイ２の内部において開放している記録紙導入側の面に近い位置には、入り口ローラ１Ａにより導入される記録紙の向きを規制するガイドシート２０が設けられている。ガイドシート２０は、記録紙の向きをこれに対向する壁面に設けてあるスタック面斜台２１に向けて指向させるようになっている。
【００４０】
スタック面斜台２１は、ガイドシート２０が位置する壁面と対向する面から内部に向けて膨出した傾斜面を有しており、傾斜面に沿ってスタックトレイ底面に向け落下する記録紙の後端を傾斜面によって反対側の壁面に突き押すようになっている。
【００４１】
さらにスタックトレイ２の底部側には、ガイドシート２０が設けられている壁面と同じ側にガイドシート２０の傾斜方向と同じとされたガイド板斜台２２が設けられている。
【００４２】
これにより、スタックトレイ２に導入された記録紙Ｓは、スタック面斜台２１側に向け突き押されて記録紙の落下方向後端をガイドシート２０側に倒れやすくされ、かつ、スタックトレイ２の底面側に着地する直前にガイド板斜台２２によってそれまで突き押された方向と逆方向に突き押されるとともに落下方向後端がスタック面斜台２１の突き押されることによってガイドシート２０側に倒れて落下方向後端がガイドシート２０側に寄せられた姿勢とされる。
【００４３】
この結果、スタックトレイ２における記録紙導入側の開口部近傍では、記録紙が一方向に寄せられた姿勢で堆積されることになり、導入側の開口を開放して後続記録紙が衝突などにより進入を妨げられることがないようにできる。
【００４４】
本実施形態は以上のような構成であるから、図３を用いて作用を説明すると次の通りである。  
図３（Ａ）は、ジャムが発生していない正常搬送時を示しており、この状態では、開閉ガイド部材５は搬送路ＰＡを構成する位置に設定されている。これにより、記録紙処理装置１内に導入された記録紙は、搬送路切換爪３の上面を移動して後処理工程側に搬送される。
【００４５】
一方、図３（Ｂ）は、後処理工程側でジャムが発生した場合を示しており、この場合には、搬送ガイド部材５の一方であるガイド板５Ａが搬送路ＰＡを開放する向きに変位する。  
この場合の変位動作は、図４に示した開閉駆動機構６におけるソレノイド６Ｂの励磁を介してクランク６が回動し、この回動に連動してスライド爪７が水平方向に移動することで行われる。つまり、スライド爪７が水平方向に移動すると、図５において示した係止部７Ｃに係止されていたガイド板５Ａのスタッド５Ａ１が係止部７Ｃから外れて係止を解除される。  
これにより、開閉ガイド部材５の一方５Ａが自重によりスタックトレイ２側に回動変位する。
【００４６】
開閉ガイド部材５が変位する動作に合わせて搬送ローラ１Ｃの駆動が継続されると、ジャムによって先端が衝止態位にある記録紙は、後端側が搬送ローラ１Ｃによって押し出される状態となる。このとき、記録紙の後端側の搬送路が開放されているので、押し出された記録紙は下方に弛むことができ自重によって弛んだ側からスタックトレイ２に向け落下することができ、これによって、ジャムを生じている記録紙の排除が行えることになる。
【００４７】
一方、ジャムを生じた記録紙Ｓ１が搬送ローラ１Ｃを通過したことをセンサにより検知されると、搬送路切換爪３が後続の記録紙Ｓ２の搬送方向をスタックトレイ２側に切り換えられる。これにより、後続の記録紙Ｓ２は、途中で停止することなく、スタックトレイ２に収容されることになる。
【００４８】
スタックトレイ２に記録紙が収容されている状態は、警報装置ＳＳ（図１参照）により外部に警報される。
【００４９】
スタックトレイ２に収容される記録紙は、図７において説明したように、後端側が一方向に寄せられた姿勢に矯正されて堆積するので、記録紙の導入を妨げない状態で収容される。  
スタックトレイ２に収容された記録紙は、その存在がスタックトレイ２の壁部に設けられている長孔２Ｂ（図８参照）により確認でき、また、小サイズの記録紙が収容されていることが確認された際に取り出す場合には、小サイズカバー２Ａ（図８参照）を開放することで容易に取り出すことができる。
【００５０】
一方、搬送ローラ１Ｃを記録紙が外れることがセンサにより検知されると、前述したように、搬送路切換爪３が後続の記録紙Ｓ２の搬送方向をスタックトレイ２側に切り換えられる。これにより、後続の記録紙Ｓ２は、途中で停止することなく搬送が継続されてスタックトレイ２に収容されることになる。この結果、画像形成装置１００および給紙装置１０１側で搬送過程にある記録紙がスタックトレイ２に収容されることになることで、搬送過程での記録紙の取り出し作業を不要にすることができる。
【符号の説明】
【００５１】
１  記録紙処理装置
１Ｃ  搬送ローラ
２  スタックトレイ
２Ａ  小サイズカバー
２Ｂ  長孔
２１  スタック面斜台
３  搬送路切換爪
６  開閉駆動機構
６Ａ  クランク
６Ｂ  ソレノイド
７  スライド爪
１００  画像形成装置
１０１  給紙装置
１０２  後処理工程を実施するスタッカー装置
１０３  後処理工程を実施するフィニッシャ装置
ＰＡ  搬送路
【先行技術文献】
【特許文献】
【００５２】
【特許文献１】特開２０００３−９５５０８号公報
【特許文献２】特開２００５−３４３６６１号公報
【特許文献３】特開平９−２３６９５７号公報
【図１】
2010168210.tif 000003
【図２】
2010168210.tif 000004
【図３】
2010168210.tif 000005
【図４】
2010168210.tif 000006
【図５】
2010168210.tif 000007
【図６】
2010168210.tif 000008
【図７】
2010168210.tif 000009
【図８】
2010168210.tif 000010